(57)【要約】【課題】食器洗い機への食器および小物食器の出し入れなどの使い勝手に優れると共に、洗浄槽の食器収納効率、洗浄性能（衛生性）も考慮した食器洗い機を提供することを目的とする。【解決手段】食器などの被洗浄物を収納する食器カゴ１０３と、前記食器カゴ１０３を収納する洗浄槽１０１と、前記洗浄槽１０１を開閉自在に覆う開閉扉１０２と、前記被洗浄物を洗浄する洗浄手段を有する食器洗い機において、前記洗浄槽１０１の内壁を形成する前記開閉扉に凹部１１１を設けると共に食器類を収納した。【選択図】　図１
2004113698.tif 000002
【特許請求の範囲】
【請求項１】
食器などの被洗浄物を収納する食器カゴと、前記食器カゴを収納する洗浄槽と、前記洗浄槽を開閉自在に覆う開閉扉と、前記被洗浄物を洗浄する洗浄手段を有する食器洗い機において、前記洗浄槽の内壁を形成する前記開閉扉に凹部を設けると共に、前記凹部スペースに食器類を収納することを特徴とする食器洗い機。
【請求項２】
食器などの被洗浄物を収納する食器カゴと、箸などの小物食器を収納する小物入れと、前記食器カゴを収納する洗浄槽と、前記洗浄槽を開閉自在に覆う開閉扉と、前記被洗浄物を洗浄する洗浄手段を有する食器洗い機において、前記洗浄槽の内壁を形成する前記開閉扉に凹部を設けると共に、前記凹部スペースに前記小物入れを配設することを特徴とする食器洗い機。
【請求項３】
前記洗浄槽を開閉自在に覆う開閉扉の少なくとも一部は、下方へのはね下げによって開とされる扉体を有すると共に、前記食器カゴが前記下方へのはね下げによって開とされる扉体上に引き出して使用する食器洗い機において、前記食器カゴの底部の前端部、もしくは側端部の一部を底上げして、前記下方へのはね下げによって開とされる扉体と前記食器カゴの間に開口部を設けたことを特徴とする請求項１、２に記載の食器洗い機。
【発明の詳細な説明】
【０００１】
【発明の属する技術分野】
本発明は、食器類を洗浄する食器洗い機の食器類の収納に関するものである。
【０００２】
【従来の技術】
従来の食器洗い乾燥機においては、図６に示すように洗浄槽００１と洗浄槽００１を開閉自在に覆う扉体００２により形成される空間に食器類を収納する食器カゴ００３が収められるように構成されている。ここで食器類を収納する食器カゴ００３の一部には、箸、スプーンなどの細長い小物食器を収納する小物入れ００４が別体で収納されている（例えば、特許文献１参照。）。このような小物入れ００４は、開口部００４ａが上面に設けており、扉体００２を開放した状態にて小物食器を小物入れ開口部００４ａより差し込んで縦方向に各々を収納するように構成されている。
【０００３】
小物入れ００４の収納位置については、洗浄槽００１側面に着脱自在に設けることにより、食器カゴ００３収納部とは別の位置に小物入れ００４を設けることも考案されている（例えば、特許文献２参照）。
【０００４】
また、小物入れ００４の収納形態については、特許文献１のように小物食器を縦方向に収納する方式ではなく、小物食器を横方向に収納して、収納性を向上させることも考案されている（例えば、特許文献３参照）。
【０００５】
【特許文献１】
特開平１１−１５１１９５号公報（第２−３頁、第２、４図）
【特許文献２】
特開平０９−１６４１０６号公報（第３−５頁、第６、７図）
【特許文献３】
特開平１０−３２８１１７号公報（第３−５頁、第１図）
【０００６】
【発明が解決しようとする課題】
特許文献１の従来例においては、小物入れ００４が食器カゴの００３のどの位置に収納されているかによって、食器洗い機に食器もしくは小物食器を収納する際の使い勝手が大きく左右される。すなわち、ドア開放方向に対して食器カゴ００３の奥側に小物入れを設けた場合は、小物食器の差込開口００４ａが洗浄槽００１の奥となるため、小物食器を差し込む際に手前に収納された皿類が邪魔になる等で使い勝手が悪く感じられる。逆に、ドア開放方向に対して食器カゴ００３の手前側に小物入れを設けた場合は、小物食器の差込み性は向上するが小物入れ００４後方に収納される食器を食器カゴ００３に収納する際に小物入れ００４および小物食器が邪魔になってしまうという問題があった。
【０００７】
また、特許文献２の従来例では、小物入れ００４と食器カゴ００３とを、洗浄槽１内に別々で配設することとなる為、結果的に小物入れ００４と食器カゴ００３の離隔距離（互いに干渉しないように）を取る必要が生じ、結果として洗浄槽１の食器収納効率は食器カゴ００３に小物入れ００４を収納する場合（特許文献１の従来例）よりも低下することが懸念された。
【０００８】
また、特許文献３の従来例の場合も、小物食器の収納しやすさは向上するものの、小物食器は横方向に収納される為、食器カゴ００３に対する占有面積比率は縦方向に収納する場合よりも大きくなり、結果として洗浄槽１の食器収納効率は低下してしまうことが懸念された。また、食器洗い機では食器類の汚れが食器類から脱落するため、横方向の収納では固形物汚れが同時に小物入れに残留蓄積し、小物食器が汚染されてしまうということも懸念された。
【０００９】
本発明は、上記の課題を解決するためになされたもので、食器洗い機への食器および小物食器の出し入れなどの使い勝手に優れると共に、洗浄槽の食器収納効率、洗浄性能（衛生性）も考慮した食器洗い機を提供することを目的とする。
【課題を解決するための手段】
【００１０】
請求項１の発明においては、食器などの被洗浄物を収納する食器カゴと、前記食器カゴを収納する洗浄槽と、洗浄槽を開閉自在に覆う開閉扉と、被洗浄物を洗浄する洗浄手段を有する食器洗い機において、洗浄槽の内壁を形成する開閉扉に凹部を設けると共に、前記凹部スペースに食器類を収納することを特徴とする。
【００１１】
請求項２の発明では、食器などの被洗浄物を収納する食器カゴと、箸などの小物食器を収納する小物入れと、食器カゴを収納する洗浄槽と、洗浄槽を開閉自在に覆う開閉扉と、被洗浄物を洗浄する洗浄手段を有する食器洗い機において、洗浄槽の内壁を形成する開閉扉に凹部を設けると共に、凹部スペースに小物入れを配設することを特徴とする。
【００１２】
請求項３の発明では、請求項１、２の食器洗い機であって、洗浄槽を開閉自在に覆う開閉扉の少なくとも一部は、下方へのはね下げによって開とされる扉体を有すると共に、食器カゴが前記下方へのはね下げによって開とされる扉体上に引き出せる食器洗い機において、食器カゴの底部の前端部、もしくは側端部の一部を底上げして、下方へのはね下げによって開とされる扉体と食器カゴの間に開口部を設けたことを特徴とする。
【００１３】
【発明の実施の形態】
本発明の実施の形態１に係わる食器洗い機の概略断面図を図１に、この食器洗い機のドアの斜視図を図２に、またドアの横断面図を図３に、縦断面図を図４に示す。食器洗い機は、洗浄槽１０１の所定位置に固定、もしくは収納される食器カゴ１０３の所定の位置に食器・調理器具等を積載し、洗浄槽１０１を開閉自在に覆う扉体１０２を閉じた後、運転を開始すると、選択された運転プログラムに基づいて制御手段１０５により洗浄運転が開始される。
【００１４】
運転が開始されると、まず洗浄槽１０１に所定量の水若しくは湯が供給される。続いてポンプ１０６により、洗浄槽１０１底部に溜められた洗浄水は加圧された状態で洗浄ノズル１０７に送られ、洗浄ノズル１０７から食器カゴ１０３に積載された食器・調理器具等に噴射され、食器・調理器具等の汚れを落とす。噴射された洗浄水は洗浄槽１０１底部に戻り、再びポンプ１０６により、洗浄ノズル１０７から噴射され、食器洗い機系内で循環される。同時に洗浄水は制御手段１０５およびヒータ１０８によって所定の水温に調整されながら、所定の時間、洗い工程が実行される。
【００１５】
洗い工程が終了すると食器から脱落した汚れ成分は、ポンプ１０６によって洗浄槽１０１内の洗浄水と共に排出される。排水動作終了後、再び洗浄槽１０１内に所定量の水もしくは湯が供給され、ポンプ１０６により洗浄ノズル１０７からの洗浄水噴射（食器洗い系内での循環運転）がおこなわれ、食器類のすすぎ（工程）をおこない、所定時間経過後に洗浄水はポンプ１０６により排出される。更に複数回のすすぎ工程を実行した後、最終の加熱すすぎ工程で洗浄水は制御手段１０５およびヒータ１０８によって所定の水温まで加熱された後に排出され、洗浄運転を終了する。
【００１６】
洗浄槽１０１を開閉自在に覆う扉体１０２は、食器洗い機の外装を形成するドア外部材１０２ａと、洗浄槽１０１の一部を形成するドア内部材１０２ｂとで構成されており、ドア内部材１０２ｂの洗浄槽１０１を形成する面（以降ドア内部材内面１０９とする）の外周部には、洗浄槽１０１の大部分を構成する洗浄槽躯体１００とを水密にシールするシール部１０９ａが設けられ、洗浄運転中に洗浄ノズル１０７から噴射された洗浄水が洗浄槽１０１外に漏水しないように構成されている。扉体１０２は、洗浄槽躯体１００の前端下部に設けられたヒンジ機構１１０を介して、洗浄槽躯体１００に回動可能に取り付けられており、下方へのはね下げによって開とされる。
【００１７】
ドア内部材内面１０９には凹部１１１が形成されている。図１の断面図に示すように、洗浄槽躯体１００の前端部１００ａよりも前方向に位置し、洗浄槽躯体１０１で形成される空間よりも洗浄槽１０１が大きくなるよう構成される。このような構成とすることにより、洗浄槽躯体１０１のサイズを変えずに洗浄槽１０１のスペースを広く取ることができるので、食器の収納効率を向上させることができる。また、凹部１１１は扉体１０２が開の状態（扉体１０２が略水平の状態）で、ドア内部材内面１０９両側部に設けられた食器カゴ１０３設置部１１２よりも低い面で形成される。食器カゴ１０３底面は、設置部１１２よりも下方に配置されることがないため、このような構成とすることにより、食器カゴ１０３底面とドア内部材内面１０９との間に食器類を収納した状態で、食器カゴ１０３をドア内部材内面１０９上に引き出して使用しても、凹部１１１に収納された食器類と食器カゴ１０３が干渉することがない。
【００１８】
凹部１１１の外周部は傾斜面１１３で形成されており、扉体１０２が開の状態で食器類を凹部１１１に収納する場合に傾斜面１１３に食器を添わせながら容易に収納することができる。また、扉体１０２が閉の状態（食器洗い機の洗浄運転中）で洗浄ノズル１０７から噴射された洗浄水もしくは食器類から脱落した汚れが凹部に滞留することなく、速やかに洗浄槽１０１底部に戻すことができる。更に、食器カゴ１０３底面前端部１０３ａは食器カゴ１０３の他の底面部よりも底上げして形成されている。このような構成とすることにより、食器カゴ１０３をドア内部材内面１０９上に引き出した状態で、食器カゴ底面前端部１０３ａと内部材内面１０９（もしくは凹部１１１）との間に開口ができるため、食器類を容易に凹部１１１に収納することができる。
【００１９】
凹部１１１は、縦方向（扉体１０２が閉の状態で上下方向）にいくつかの仕切り体１１４を有し、小物食器が一つ箇所に偏らず収納されるように構成される。また、横方向（扉体１０２が閉の状態で左右方向）には仕切り体１１４よりも低い高さのリブ体１１５が複数設けられている。このリブ体１１５は凹部１１１に収納された食器類と接触し、食器類を凹部１１１底面から離隔することを目的としており、食器類が凹部１１１底面と密着することによる洗浄不良などを防ぐことができる。この仕切り体１１４およびリブ体１１５の根元部（すなわち凹部底面近傍）は、洗浄水に含まれる汚れ成分が付着しにくいように円滑面で形成される。また、根元部をＲ等の円滑面とすることにより、ドア内部材内面１０９の拭き取り清掃性も向上する。
【００２０】
ドア内部材内面１０９には凹部１１１を覆うように、線材１１６が着脱自在に取り付けられている。この線材１１６は、横方向（扉体１０２が閉の状態で左右方向）に伸延しており、凹部１１１に収納される食器類を凹部底面（リブ体１１５）および仕切り体１１４とで囲うことにより保持することができる。線材１１６の間隔は、凹部１１１下方（扉体１０２が閉の状態を上下方向とした場合）近傍が狭くなるように構成され、扉体１０２を閉じた状態で細長い小物食器が凹部１１１からすり抜けることを防止している。すなわち収納された小物食器の下端部は、凹部１１１下部傾斜面１１７と線材１１６、もしくは仕切り体１１４にて確実に保持される。
【００２１】
本実施例１では、凹部１１１上方（扉体１０２が閉の状態を上下方向とした場合）より、小物食器を収納する形態となっているが、小物食器の収納口は側方（扉体１０２が閉の状態を上下方向とした場合）としても良い。その場合は、仕切り体１１４は横方向に伸延して形成されると共に、線材１１６は縦方向に伸延して形成される。また、仕切り体１１４は切り欠きもしくは、扉体１０２が閉の状態において、水平方向から小物食器投入口側が高くなるように傾斜して形成され、洗浄水の凹部１１１底面への残留がないよう構成される。また、本実施例１においては凹部１１１に仕切り体１１４が形成されているが、仕切り体１１４は線材１１６側に形成されても良く、線材１１６は板材で形成されても良く、ドア内部材内面１０９に形成された凹部１１１空間にて食器類を保持できる部材で構成されていれば良い。また、本実施例では小物食器を収納する空間としたが、仕切り体１１４の間隔を広げることにより、小皿などの薄物食器を収納する空間として利用できる。
【００２２】
本発明の実施の形態２に係わる食器洗い機のドアの斜視図を図５に示す。ドアの取り付け構成、食器洗い機基本動作は実施の形態１と同様である。ドア内部材内面１０９に形成された凹部１１１には、小物入れ１０４が着脱自在に取り付けられるよう構成されている。小物入れ１０４は少なくとも３側面を枠体で覆われ、底面部を有する構造体であり、仕切り板１０４ａにて小物入れ内部空間を複数の空間に仕切るよう構成されている。このような構成とすることにより、小物入れ１０４に予め小物食器を収納しておき、扉体１０２を閉めて運転する際に、ドア内部材内面１０９の凹部１１１に小物入れ１０４をセットすれば良く、小物食器の出し入れは非常に容易になる。また、ドア内部材内面１０９のカゴ設置部１１２には位置決め部材１１８が設けられており、ドア内部材内面１０９上に食器カゴ１０３を引き出す際に、食器カゴ１０３前端位置１０３ｂが凹部１１１上端１１１ａ（扉体１０２が閉の状態を上下方向とした場合）に重ならないよう構成されている。食器カゴ１０３の引き出し位置を規制することにより、凹部１１１の小物食器投入開口が確保されるため、小物入れ１０４をセットした状態でも、小物食器の出し入れは容易におこなえる。実施形態２では食器カゴ１０３引出位置規制をドア内部材内面１０９上に設けた位置決め部材１１８によりおこなっているが、位置規制は洗浄槽躯体１０１内面と食器カゴ１０３の間でおこなっても良い。また、小物入れ１０４は、前述したように少なくとも３側面の枠体で構成されれば良く、凹部に取り付けることで１側面を凹部底面として形成する構成とすることができる。この場合、取り付けスペースや部材の共有化（効率化）を図ることができる。
【００２３】
【発明の効果】
本発明により、洗浄槽の食器収納スペースを削減することなく、使い勝手の良い位置に小物食器類などの収納スペースを確保することが可能となるため、食器収納効率、洗浄性能（衛生性）に優れた食器洗い機を提供することができる。また収納効率が優れるという点で、同等の設置サイズとすれば、より多くの食器を収納することが可能となり、同等の食器点数を収納するとすれば、設置サイズを小さくすることも可能となる。
【図面の簡単な説明】
【図１】本発明の実施形態１における食器洗い機概略断面図。
【図２】本発明の実施形態１におけるドアの斜視図。
【図３】本発明の実施形態１におけるドアの横断面図。
【図４】本発明の実施形態１におけるドアの縦断面図。
【図５】本発明の実施形態２におけるドアの斜視図。
【図６】従来の食器洗い機概略断面図。
【符号の説明】
００１…洗浄槽、００２…扉体、００３…食器カゴ、００４…小物入れ、００４ａ…開口部、１００…洗浄槽躯体、１００ａ…前端部、１０１…洗浄槽、１０２…扉体、１０２ａ…ドア外部材、１０２ｂ…ドア内部材、１０３…食器カゴ、１０３ａ…食器カゴ底面前端部、１０３ｂ…前端位置、１０４…小物入れ、１０５…制御手段、１０６…ポンプ、１０７…洗浄ノズル、１０８…ヒータ、１０９…ドア内部材内面、１１０…ヒンジ機構、１１１…凹部、１１１ａ…上端、１１２…設置部、１１３…傾斜面、１１４…仕切り体、１１５…リブ体、１１６…線材、１１７…下部傾斜面、１１８…位置決め部材
【図１】
2004113698.tif 000003
【図２】
2004113698.tif 000004
【図３】
2004113698.tif 000005
【図４】
2004113698.tif 000006
【図５】
2004113698.tif 000007
【図６】
2004113698.tif 000008